【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
式（Ｉ）、（ＩＩ）、（ＩＩＩ）、（ＩＶ）、（Ｖ）及び（ＶＩ）から選択される少なくとも１つの繰り返し単位を有するポリマー複合体。
【化１】
2010526917.tif 000001
（式中、各Ａ１、各Ａ２、各Ａ３、各Ａ４、各Ａ５及び各Ａ６は独立して酸素又はＮＲ７であり、ここでＲ７は水素又はＣ１−４アルキルであり、
各Ｒ１、各Ｒ２、各Ｒ３、各Ｒ４、各Ｒ５、及び各Ｒ６は独立して水素、Ｃ１−１０アルキル基、Ｃ６−２０アリール基、アンモニウム基、アルカリ金属、多座配位子、保護された酸素原子を有する多座配位子前駆体、薬物を含む基、標的化剤を含む基、光造影剤を含む基、磁気共鳴造影剤を含む基、及び安定剤を含む基からなる群から選択され、
ｍ、ｎ、及びｏはそれぞれ独立して１又は２であり、
ｐ、ｑ、ｒ、ｓ、ｔ及びｕはそれぞれ独立して０又は≧１であり、ここでｐ、ｑ、ｒ、ｓ、ｔ及びｕの合計は２以上であり、
ただし、Ｒ１、Ｒ２、Ｒ３、Ｒ４、Ｒ５及びＲ６の少なくとも１つは第１の薬物を含む基であり、Ｒ１、Ｒ２、Ｒ３、Ｒ４、Ｒ５及びＲ６の少なくとも１つは第２の薬物を含む基であり、ここで該第１の薬物と該第２の薬物とは同じものではない。）
【請求項２】
該ポリマー複合体は、該ポリマー複合体に対する薬物の質量比で、該第１の薬物及び該第２の薬物の総量を、約１％〜約５０％（重量／重量）の範囲で含む、請求項１のポリマー複合体。
【請求項３】
該第１の薬物及び該第２の薬物の１つ以上が抗癌剤である、請求項１〜２のいずれか１項のポリマー複合体。
【請求項４】
抗癌剤はタキサン、カンプトテカ及びアントラサイクリンからなる群から選択される、請求項１〜３のいずれか１項のポリマー複合体。
【請求項５】
タキサンはパクリタキセル及びドセタキセルからなる群から選択される、請求項４のポリマー複合体。
【請求項６】
カンプトテカはカンプトテシンである、請求項４のポリマー複合体。
【請求項７】
アントラサイクリンはドキソルビシンである、請求項４のポリマー複合体。
【請求項８】
標的化剤はアルギニン−グリシン−アスパラギン酸（ＲＧＤ）ペプチド、フィブロネクチン、葉酸、ガラクトース、アポリポ蛋白質、インスリン、トランスフェリン、繊維芽細胞増殖因子（ＦＧＦ）、上皮細胞増殖因子（ＥＧＦ）、及び抗体からなる群から選択される、請求項１〜７のいずれか１項のポリマー複合体。
【請求項９】
光造影剤はアクリジン色素、クマリン色素、ローダミン色素、キサンテン色素、シアニン色素、及びピレン色素からなる群から選択される、請求項１〜８のいずれか１項のポリマー複合体。
【請求項１０】
磁気共鳴造影剤はＧｄ（ＩＩＩ）化合物を含む、請求項１〜９のいずれか１項のポリマー複合体。
【請求項１１】
該Ｇｄ（ＩＩＩ）化合物は以下の
【化２】
2010526917.tif 000002
又は
【化３】
2010526917.tif 000003
を含む、請求項１０のポリマー複合体。
【請求項１２】
多座配位子が以下の
【化４】
2010526917.tif 000004
（式中、各Ｒ８は独立して水素、アンモニウム又はアルカリ金属である。）
又は
【化５】
2010526917.tif 000005
（式中、各Ｒ９はそれぞれ独立して水素、アンモニウム又はアルカリ金属である。）
を含む、請求項１〜１１のいずれか１項のポリマー複合体。
【請求項１３】
保護された酸素原子を有する多座配位子前駆体は以下の
【化６】
2010526917.tif 000006
を含む、請求項１〜１２のいずれか１項のポリマー複合体。
【請求項１４】
安定剤はポリエチレングリコールである、請求項１〜１３のいずれか１項のポリマー複合体。
【請求項１５】
Ｒ１、Ｒ２、Ｒ３、Ｒ４、Ｒ５及びＲ６の少なくとも１つは第３の薬物を含む基であり、ここで該第３の薬物は該第１の薬物及び該第２の薬物と異なるものであることをさらに提供する、請求項１〜１４のいずれか１項のポリマー複合体。
【請求項１６】
少なくとも１つのｓ、ｔ又はｕが≧１であり、少なくとも１つのｍ、ｎ又はｏが２である、請求項１〜１５のいずれか１項のポリマー複合体。
【請求項１７】
式（ＶＩＩ）の繰り返し単位及び／又は式（ＶＩＩＩ）の繰り返し単位の少なくとも１つを有するポリマー反応物を溶媒に溶解又は部分的に溶解して溶解された又は部分的に溶解されたポリマー反応物を調製すること、
【化７】
2010526917.tif 000007
（式中、ｚは独立して１又は２であり、
Ａ７及び各Ａ８は酸素であり、かつ
Ｒ１０及び各Ｒ１１は独立して水素、アンモニウム及びアルカリ金属からなる群から選択される）、及び
該溶解された又は部分的に溶解されたポリマー反応物を第２の反応物及び第３の反応物と反応させることを有する、ここで、第２の反応物が第１の薬物を含有し、第３の反応物は第２の薬物を含有する、を有する、請求項１〜１６のいずれか１項のポリマー複合体を製造する方法。
【請求項１８】
溶解された又は部分的に溶解されたポリマー反応物を、第３の反応物と反応させるのとほぼ同時に、第２の反応物の少なくとも一部と反応させること；又は、溶解された又は部分的に溶解されたポリマー反応物を、第３の反応物と反応させた後に、第２の反応物の少なくとも一部と反応させること；又は該溶解された又は部分的に溶解されたポリマー反応物を第４の反応物と反応させることをさらに備え、ここで該第４の反応物は、多座配位子、保護された酸素原子を有する多座配位子前駆体、第３の薬物を含む基、標的化剤を含む基、光造影剤を含む基、磁気共鳴造影剤を含む基及び安定剤を含む基からなる群から選択される少なくとも１つを有する、請求項１７の方法。
【請求項１９】
溶解された又は部分的に溶解されたポリマー反応物をカップリング剤の存在下で反応させることをさらに含む、請求項１７〜１８のいずれか１項の方法。
【請求項２０】
溶媒は極性非プロトン性溶媒である、請求項１７〜１９のいずれか１項の方法。
【請求項２１】
溶解された又は部分的に溶解されたポリマー反応物を触媒の存在下で反応させることをさらに含む、請求項１７〜２０のいずれか１項の方法。
【請求項２２】
有効量の請求項１〜１６のいずれか１項のポリマー複合体を含有する、病気又は症状の治療又は寛解のための医薬組成物。
【請求項２３】
有効量の請求項１〜１６のいずれか１項のポリマー複合体を含有する、病気又は症状の診断のための医薬組成物。
【請求項２４】
病気又は症状は肺腫瘍、乳房腫瘍、結腸腫瘍、卵巣腫瘍、前立腺腫瘍、及びメラノーマ腫瘍からなる群から選択される、請求項２２〜２３のいずれか１項の医薬組成物。
【請求項２５】
病気又は症状は肺腫瘍、乳房腫瘍、結腸腫瘍、卵巣腫瘍、前立腺腫瘍、及びメラノーマ腫瘍からなる群から選択される、請求項２２〜２３のいずれか１項の医薬組成物。
【請求項２６】
有効量の請求項１〜１６のいずれか１項のポリマー複合体を含有する、組織の一部を造影するための医薬組成物。
【請求項２７】
該組織は、肺腫瘍、乳房腫瘍、結腸腫瘍、及び卵巣腫瘍からなる群から選択される腫瘍からのものである、請求項２６に記載の医薬組成物。
【請求項２８】
該医薬組成物が、静脈に投与のための形態である請求項２２〜２７のいずれか１項の医薬組成物。